(57)【要約】【課題】簡単な構造によって平面らせん形蛍光ランプを容易に装着することができる照明器具を提供する。【解決手段】平面らせん形蛍光ランプ２０の管中央部２２ａを中心として旋回可能に保持する旋回機構１８，２５を設けたので、平面らせん形蛍光ランプ２０を旋回させることにより、平面らせん形蛍光ランプ２０を容易に位置決めして、ランプソケット１７に装着することができる。【選択図】図１
2010009881.tif 000002
【特許請求の範囲】
【請求項１】
管中央部を中心として略同一平面内で渦巻状に旋回された発光管と、前記発光管の両端面に設けられた口金と、前記口金から突出するランプピンと、前記発光管の両端部を連結したブリッジと、を有する平面らせん形蛍光ランプと、
前記ランプピンを装着して電力を供給するランプソケットが取り付けられた器具本体と、を備えた照明器具であって、
前記器具本体に、前記管中央部を中心として平面らせん形蛍光灯を旋回可能に保持する旋回機構を設けたことを特徴とする照明器具。
【請求項２】
前記旋回機構が、前記ブリッジに設けた軸突起と、前記器具本体に設けた嵌合穴とで構成され、前記軸突起を前記嵌合穴に挿嵌することを特徴とする請求項１記載の照明器具。
【請求項３】
前記旋回機構が、前記ブリッジに設けた貫通穴と、前記器具本体に設けた軸部とで構成され、前記軸部を前記貫通穴に挿嵌することを特徴とする請求項１記載の照明器具。
【発明の詳細な説明】
【技術分野】
【０００１】
本発明は、平面らせん形蛍光ランプを用いる照明器具に関するものである。
【背景技術】
【０００２】
従来より、平面らせん形蛍光ランプを用いる照明器具が知られている（例えば特許文献１参照）。
図７に示すように、特許文献１に記載の照明器具に用いられる平面らせん形蛍光ランプ１００は、発光管１０１が、中央部１０１ａを中心として略一平面上で渦巻状に旋回された二重渦巻き形状を有している。そして、略対向して離れた両端部１０２ａ、１０２ｂ間には、発光管１０１を保持するランプホルダであるブリッジ１０３が設けられており、ブリッジ１０３の中央に１個の口金１０４が設けられている。また、口金１０４から発光管１０１の隙間を通って、一対の把持取手１０５、１０５が口金１０４と反対側に突出して設けられている。
従って、平面らせん形蛍光ランプ１００の装着時には、作業者は把持取手１０５、１０５を持って、口金１０４を器具本体（図示省略）に装着する。
【特許文献１】特開２００７−２７３３３０号公報（第２図）
【発明の開示】
【発明が解決しようとする課題】
【０００３】
ところで、前述したような平面らせん形蛍光ランプには、図８に示す平面らせん形蛍光ランプ１１０のように、中央部１１１ａを中心として略一平面上で渦巻状に旋回された二重渦巻き形状の発光管１１１の両端に口金１１２が設けられ、各口金１１２から上下一対のランプピン１１３、１１３が設けられているものがある。そして、発光管１１１の両端部を連結してブリッジ１１４が設けられている。
このような平面らせん形蛍光ランプ１１０では、全体の厚みが、略発光管１１１の厚み程度であり、照明器具をコンパクト化することができるとともに、デザイン的にも有利である。
【０００４】
しかしながら、図８において前述したような平面らせん形蛍光ランプ１１０においては、平面らせん形蛍光ランプ１１０を旋回させてランプピン１１３をランプソケットに装着する際に、平面らせん形蛍光ランプ１１０の両端のランプピン１１３を同時にランプソケットに対して位置決めしながら平面らせん形蛍光ランプ１１０を旋回させなければならず、困難であるという問題があった。
【０００５】
本発明は、従来の問題を解決するためになされたもので、簡単な構造によって平面らせん形蛍光ランプを容易に装着することができる照明器具を提供することを目的とする。
【課題を解決するための手段】
【０００６】
本発明の照明器具は、管中央部を中心として略同一平面内で渦巻状に旋回された発光管と、前記発光管の両端面に設けられた口金と、前記口金から突出するランプピンと、前記発光管の両端部を連結したブリッジと、を有する平面らせん形蛍光ランプと、前記ランプピンを装着して電力を供給するランプソケットが取り付けられた器具本体と、を備えた照明器具であって、前記器具本体に、前記管中央部を中心として平面らせん形蛍光灯を旋回可能に保持する旋回機構を設けた構成を有している。
【０００７】
この構成により、器具本体に、平面らせん形蛍光ランプの管中央部を中心として旋回可能に保持する旋回機構を設けたので、平面らせん形蛍光ランプを旋回させることにより、平面らせん形蛍光ランプを容易に位置決めして、ランプソケットに装着することができる。
【０００８】
また、本発明の照明器具は、前記旋回機構が、前記ブリッジに設けた軸突起と、前記器具本体に設けた嵌合穴とで構成され、前記軸突起を前記嵌合穴に挿嵌する構成を有している。
【０００９】
この構成により、ブリッジに設けられた軸突起を、器具本体に設けられた嵌合穴に嵌合させることにより、平面らせん形蛍光ランプを旋回させることができ、平面らせん形蛍光ランプを容易に位置決めして、ランプソケットに装着することができる。
【００１０】
さらに、本発明の照明器具は、前記旋回機構が、前記ブリッジに設けた貫通穴と、前記器具本体に設けた軸部とで構成され、前記軸部を前記貫通穴に挿嵌する構成を有している。
【００１１】
この構成により、ブリッジに設けられた貫通穴に、器具本体に設けられた軸部を挿嵌することにより、平面らせん形蛍光ランプを旋回させることができ、平面らせん形蛍光ランプを容易に位置決めして、ランプソケットに装着することができる。
【発明の効果】
【００１２】
本発明は、平面らせん形蛍光ランプの管中央部を中心として旋回可能に保持する旋回機構を設けたので、平面らせん形蛍光ランプを旋回させることにより、平面らせん形蛍光ランプを容易に位置決めして、ランプソケットに装着することができるという効果を有する照明器具を提供することができるものである。
【発明を実施するための最良の形態】
【００１３】
以下、本発明の実施の形態の照明器具について、図面を用いて説明する。
図１は本発明の第１実施形態にかかる照明器具の斜視図、図２は第１実施形態にかかる照明器具で用いられる平面らせん形蛍光ランプの斜視図、図３は器具本体に平面らせん形蛍光ランプを取り付けた状態を示す断面図である。
【００１４】
図１に示すように、本発明にかかる照明器具１０は、天井や壁等の壁面１１に固定して使用するものであり、例えば矩形箱状の器具本体１２と、器具本体１２の前面開口を覆う透明あるいは半透明の樹脂等からなるパネル１３を有している。パネル１３は、広範囲を照らすことができるように、プリズム加工されているものを用いることができる。器具本体１２の底板１２ａには、商用交流電源（図示省略）に接続されている点灯装置であるインバータブロック１４が取付けられており、インバータブロック１４等を覆うとともにパネル１３を取付けるための取付板１５が設けられている。パネル１３は、ネジ１３ａを取付板１５のネジ穴１５ａに螺合し、締め付けることにより着脱可能に取付けられる。
【００１５】
図２に示すように、この照明器具１０に用いられる平面らせん形蛍光ランプ２０は、管状の放電路が長手方向中央部２２ａを始点として、同一平面に沿って２重渦巻状に旋回された発光管２２を有しており、発光管２２の中央部２２ａは、その他の部分に比して太径となっていて、最冷点となっている。発光管２２の両端部にはそれぞれ口金２３、２３が取付けられており、両口金２３、２３は、発光管２２の中央部２２ａに対して、点対称の位置に設けられている。各口金２３、２３には、平面らせん形蛍光ランプ２０の平面に直交する方向（図２において上下方向）に配置された一対のランプピン２１が、発光管２２の軸方向に沿って突出して設けられている。
【００１６】
発光管２２における最冷点と反対側面（図２において上側面）には、両口金２３，２３同士を連結する保持部材であるブリッジ２４が設けられており、ブリッジ２４の両端には、発光管２２を保持するためのリング状の保持部２４ａが設けられている。ブリッジ２４の上面の中心（すなわち、平面らせん形蛍光ランプ２０の中心）には、旋回機構を構成する円柱形状の軸突起２５が突出して設けられている。軸突起２５は、ブリッジ２４と一体的に成型することができるが、別体で取り付けることも可能である。
【００１７】
再び図１に示すように、底板１２の中央部および他方の端部寄りには、インバータブロック１４を保護するとともに、光源である平面らせん形蛍光ランプ２０の照明光をパネル１３側に反射して照明効率を向上させる反射板でもあるブロックカバー１６が、器具本体１２の底板１２ａの上方に一定の空間１２ｂを設けて取り付けられている（図３参照）。この空間１２ｂにインバータブロック１４の一部が含まれる。ブロックカバー１６の上面には、平面らせん形蛍光ランプ２０を装着するための一対のランプソケット１７、１７が取付けられており、これらランプソケット１７、１７は、電源線（図示省略）によって、インバータブロック１４に接続されている。ランプソケット１７において、平面らせん形蛍光ランプ２０の口金２３に対向する面には、上下一対のランプピン２１に対応して、一対の挿入穴１７ａが設けられている。
【００１８】
ブロックカバー１６の上面には、取り付けられた平面らせん形蛍光ランプ２０の中心となる一対のランプソケット１７、１７間の中心に、旋回機構を構成する嵌合穴１８が設けられている。なお、図示はしないが、軸突起２５の途中位置にストッパを設けて、軸突起２５が嵌合穴１８に必要以上挿入されないようにするのが望ましい。これにより、ランプピン２１の高さ位置を、容易にランプソケット１７の挿入穴の位置に合わせることができる。
【００１９】
次に、平面らせん形蛍光ランプ２０を器具本体１２に取り付ける手順について説明する。
まず、図１に示すように、平面らせん形蛍光ランプ２０のブリッジ２４を前方（下側）にして器具本体１２の内部に移動させ、ブリッジ２４に設けられている軸突起２５を、器具本体１２のブロックカバー１６に設けられている嵌合穴１８に挿嵌する（図３参照）。
次いで、平面らせん形蛍光ランプ２０を軸突起２５を中心として、ランプピン１７の突出方向へ回転させ、両口金２３に設けられているランプピン２１を、同時にランプソケット１７の挿入穴１７ａに挿入する。
その後、パネル１３を器具本体１２に取り付け、ネジ１３ａにより固定する。
【００２０】
以上、説明した本発明の実施形態にかかる照明器具１０によれば、平面らせん形蛍光ランプ２０の管中央部２２ａを中心として旋回可能に保持する旋回機構として、ブリッジ２４に軸突起２５を設けるとともに、器具本体１２に嵌合穴１８を設けた。このため、軸突起２５を、器具本体１２に設けられた嵌合穴１８に嵌合させることにより、平面らせん形蛍光ランプ２０を旋回させることができ、平面らせん形蛍光ランプ２０を容易に位置決めすることができるとともに、容易にランプソケット１７に装着することができる。
【００２１】
次に、本発明の第２実施形態について説明する。
図４は本発明の第２実施形態にかかる照明器具の斜視図、図５は第２実施形態にかかる照明器具で用いられる平面らせん形蛍光ランプの斜視図、図６は器具本体に平面らせん形蛍光ランプを取り付けた状態を示す断面図である。なお、前述した第１実施形態にかかる照明器具と共通する部位には同じ符号を付して、重複する説明を省略することとする。
【００２２】
図４に示すように、本発明の第２実施形態にかかる照明器具１０Ｂでは、ブロックカバー１６の上面には、取り付けられた平面らせん形蛍光ランプ２０Ｂの中心となる一対のランプソケット１７、１７の中心に、旋回機構を構成する円柱形状の軸部１９が設けられている。軸部１９は、ブロックカバー１６を樹脂で形成する際には、一体的に成型することができるが、金属板等で作製する際には、別体で取り付ける。
【００２３】
図５に示すように、この照明器具１０Ｂに用いられる平面らせん形蛍光ランプ２０Ｂでは、両口金２３，２３同士を連結するブリッジ２４の中心（すなわち、平面らせん形蛍光ランプ２０Ｂの中心）には、旋回機構を構成する円形の貫通穴２６が設けられている。なお、図示はしないが、軸部１９の途中位置にストッパを設けて、軸部１９が貫通穴２６に必要以上挿入されないようにするのが望ましい。これにより、ランプピン２１の高さ位置を、容易にランプソケット１７の挿入穴の位置に合わせることができる。
【００２４】
次に、平面らせん形蛍光ランプ２０を器具本体１２に取り付ける手順について説明する。
まず、図４に示すように、平面らせん形蛍光ランプ２０Ｂのブリッジ２４を前方にして器具本体１２の内部に移動させ、ブリッジ２４に設けられている貫通穴２６に、器具本体１２のブロックカバー１６に設けられている軸部１９を挿嵌する（図６参照）。
次いで、平面らせん形蛍光ランプ２０Ｂを軸部１９を中心として、ランプピン１７の突出方向へ回転させ、両口金２３に設けられているランプピン２１を、同時にランプソケット１７の挿入穴１７ａに挿入する。
その後、パネル１３を器具本体１２に取り付け、ネジ１３ａにより固定する。
【００２５】
以上、説明した本発明の第２実施形態にかかる照明器具１０Ｂによれば、前述した第１実施形態にかかる照明器具１０と同様の作用、効果を得ることができる。
【００２６】
なお、本発明の照明器具は、前述した実施形態に限定されるものでなく、適宜な変形，改良等が可能である。
【図面の簡単な説明】
【００２７】
【図１】図１は本発明の第１実施形態にかかる照明器具の斜視図
【図２】第１実施形態にかかる照明器具で用いられる平面らせん形蛍光ランプの斜視図
【図３】器具本体に平面らせん形蛍光ランプを取り付けた状態を示す断面図
【図４】本発明の第２実施形態にかかる照明器具の斜視図
【図５】第２実施形態にかかる照明器具で用いられる平面らせん形蛍光ランプの斜視図
【図６】器具本体に平面らせん形蛍光ランプを取り付けた状態を示す断面図
【図７】（ａ）は従来の平面らせん形蛍光ランプの一例を照射側から見た斜視図、（ｂ）は同じく照射側の反対側から見た斜視図
【図８】（ａ）は従来の平面らせん形蛍光ランプの別の例を照射側から見た斜視図、（ｂ）は同じく照射側の反対側から見た斜視図
【符号の説明】
【００２８】
１０  照明器具
１２  器具本体
１７  ランプソケット
１８  嵌合穴（旋回機構）
１９  軸部（旋回機構）
２０  平面らせん形蛍光ランプ
２１  ランプピン
２２  発光管
２２ａ  管中央部
２３  口金
２４  ブリッジ
２５  軸突起（旋回機構）
２６  貫通穴（旋回機構）
【図１】
2010009881.tif 000003
【図２】
2010009881.tif 000004
【図３】
2010009881.tif 000005
【図４】
2010009881.tif 000006
【図５】
2010009881.tif 000007
【図６】
2010009881.tif 000008
【図７】
2010009881.tif 000009
【図８】
2010009881.tif 000010